(57)【要約】【課題】隠蔽を目的とした印刷をすることなく、貼付面に対して隠蔽性を有し、装飾としての印刷を施すことのできる、額縁シールを提供すること。【解決手段】額縁シール１１は、片面に接着層２０を有する第１シート２１と、該第１シート２１の前記接着層２０側に接着された第２シート２２からなり、前記第１シート２１は、隠蔽性を有し、刻設線２８Ａによる切り分けによって、額縁部３１と、該額縁部３１の内側に形成された除去可能な抜き窓部３４と、を形成し、  前記第２シート２２は、透明性を有し、刻設線２８Ｂによる切り分けによって、写真等保持部３２と、該写真等保持部３２の外側に形成された除去可能な離型部２７と、を形成し、平面視において、前記写真等保持部３２は、前記抜き窓部３４より外側まで延設されて、前記額縁部３１と前記写真等保持部３２とでシール本体２６が形成されている。【選択図】図１
2017006425.tif 000002
【特許請求の範囲】
【請求項１】
片面に接着層を有する第１シートと、該第１シートの前記接着層側に接着された第２シートと、からなり、写真等を被覆する状態で前記第１シートの接着層によって壁面等に貼付する平面状の額縁シールにおいて、
前記第１シートは、隠蔽性を有し、刻設線による切り分けによって、額縁部と、該額縁部の内側に形成された除去可能な抜き窓部と、を形成し、
前記第２シートは、透明性を有し、刻設線による切り分けによって、写真等保持部と、該写真等保持部の外側に形成された除去可能な離型部と、を形成し、
平面視において、前記写真等保持部は、前記抜き窓部より外側まで延設されて、前記額縁部と前記写真等保持部とでシール本体が形成されていることを特徴とする額縁シール。
【請求項２】
前記第１シートの隠蔽性が、ＪＩＳ  Ａ  ６９２１：２０１４（壁紙）６．６．３隠蔽性試験に規定される、２級以上であることを特徴とする、請求項１に記載の額縁シール。
【請求項３】
前記シール本体は、前記額縁部の外周縁部における少なくとも一箇所に、剥がし用タブを備え、
前記剥がし用タブは、前記第２シートを前記額縁部の外周縁の角部に沿う刻設線によって前記離型部から切り分けるように形成されることを特徴とする請求項１又は２に記載の額縁シール。
【請求項４】
前記剥がし用タブは、前記写真等保持部と連結されていることを特徴とする請求項３に記載の額縁シール。
【発明の詳細な説明】
【技術分野】
【０００１】
本発明は、額縁シールに関する。詳しくは、写真、ポストカード、雑誌等の切り抜き片等（以下、「写真等」という。）を壁面等の貼付面に貼付して掲示するのに使用する額縁シールに係る発明である。
【背景技術】
【０００２】
従来から、額縁シールなどとして、特許文献１及び２に記載されたものなどがある。
【０００３】
特許文献１には、離型層（第２シート）、接着層及び本体層（第１シート）からなる透明積層体を原反として製造される額縁シールであって、額縁本体（シール本体）と台紙（離型機能により剥がされる部分（離型部））を備えることによって、写真等および壁面等自体を損傷させることなく貼り付けることができ、写真等に装飾効果を付与できる額縁シールが、記載されている。
【０００４】
特許文献２には、透明な第１フィルム（第１シート）と透明な第２フィルム（第２シート）とからなる写真保護および装飾用シール（額縁シール）であって、透明な第２フィルム（第２シート）の切込み（刻設線）により周縁部（額縁部）と保護部とに区画されることによって、製造が容易であり、手作業などが不要であり、製造コストを安価とすることができる装飾用シール（額縁シール）が、記載されている。
【０００５】
これら額縁シールでは、写真等窓枠部から写真等を視認するために、額縁シールを構成するシートは透明なものとするのが当業者常識であった。
【０００６】
そして、これら額縁シールは、装飾効果を付与させて、貼付することが望ましく、装飾としてシートの額縁部に印刷を施すことが多い。
【０００７】
しかし、シートは透過性を有するものであるため、シートに印刷を施しても、壁面等の貼付面に貼付して掲示した際に、貼付面の有する色や模様が隠蔽されずに透けて見えてしまう。
【０００８】
このため、隠蔽を目的とした印刷をシートに施し、隠蔽性を有するシートとした後に、必要により、装飾としての印刷を施すという問題点があった。
【０００９】
このため、上記の問題点が解決できるとともに、隠蔽を目的とした印刷を必要とすることなく、貼付面に対して隠蔽性を有し、必要により、装飾としての印刷を施すことのできる手段の出現が要望されていた。
【００１０】
しかし、本発明者は、そのような要望に簡便に答えることのできる、シートに印刷を施すことができる手段は、寡聞にして知らない。事実、特許情報プラットフォーム（Ｊ−ＰｌａｔＰａｔ）の公報テキスト検索において、検索式＝「Ａ４７Ｇ１／１７  ｏｒ  Ａ４７Ｇ１／１４」ａｎｄ「額ｏｒ縁飾り」ａｎｄ「積層体」ａｎｄ「シールｏｒステッカｏｒ粘着」ａｎｄ「隠蔽ｏｒ透過」で検索の結果、ヒット件数０件であった。
【先行技術文献】
【特許文献】
【００１１】
【特許文献１】特開２０１３−３８９号公報
【特許文献２】登録実用新案第３１３０２８４号公報
【発明の概要】
【発明が解決しようとする課題】
【００１２】
本発明は、隠蔽を目的とした印刷をすることなく、貼付面に対して隠蔽性を有し、必要により、装飾としての印刷を施すことのできる、額縁シールを提供するものである。
【課題を解決するための手段】
【００１３】
請求項１記載の発明では、片面に接着層を有する第１シートと、該第１シートの前記接着層側に接着された第２シートと、からなり、写真等を被覆する状態で前記第１シートの接着層によって壁面等に貼付する平面状の額縁シールにおいて、前記第１シートは、隠蔽性を有し、刻設線による切り分けによって、額縁部と、該額縁部の内側に形成された除去可能な抜き窓部と、を形成し、前記第２シートは、透明性を有し、刻設線による切り分けによって、写真等保持部と、該写真等保持部の外側に形成された除去可能な離型部と、を形成し、平面視において、前記写真等保持部は、前記抜き窓部より外側まで延設されて、前記額縁部と前記写真等保持部とでシール本体が形成されていることを特徴とする。
【００１４】
これによれば、隠蔽を目的とした印刷をすることなく、貼付面に対して隠蔽性を有し、必要により、装飾としての印刷を施すことのできる、額縁シールを提供することができる。
【００１５】
請求項２記載の発明では、前記第１シートの隠蔽性が、ＪＩＳ  Ａ  ６９２１：２０１４（壁紙）６．６．３隠蔽性試験に規定される、２級以上であることを特徴とする。
【００１６】
これによれば、シール本体を壁面等の貼付面に貼付して写真等を掲示した際に、貼付面の色彩や模様が、シール本体から透けて見えることを防ぐことができる。
【００１７】
請求項３記載の発明では、前記シール本体は、前記額縁部の外周縁部における少なくとも一箇所に、剥がし用タブを備え、前記剥がし用タブは、前記第２シートを前記額縁部の外周縁の角部に沿う刻設線によって前記離型部から切り分けるように形成されることを特徴とする。
【００１８】
これによれば、シール本体から離型部を剥がす際に、剥がし用タブを指で挟持しても、シール本体の接着層に指紋を付けたり、接着層で指を汚したりすることを避けることができる。
【００１９】
請求項４記載の発明では、前記剥がし用タブは、前記写真等保持部と連結されていることを特徴とする。
【００２０】
これによれば、剥がし用タブがシール本体から剥がれ落ちることを防ぐことができる。
【図面の簡単な説明】
【００２１】
【図１】本発明における一実施形態の額縁シールの使用前斜視図である。
【図２】図１におけるＩＩ−ＩＩ間断面並びにシール本体及び離型部の構成を示す図である。
【図３】額縁シールの製造方法の一例を示す図である。
【図４】額縁シールの使用方法の一例を示す図である。
【図５】額縁シールのその他実施形態を示す図であり、（ａ）は平面図、（ｂ）は（ａ）のｂ−ｂ線断面図並びにシール本体及び離型部の構成を示す図である。
【発明を実施するための形態】
【００２２】
本発明における額縁シールの一実施形態を図１及び図２に基づいて説明する。本発明の額縁シールは当該構成に限定されるものではない。即ち、本発明の要旨を逸脱しない限り各種の設計変更等が可能である。
【００２３】
本明細書においては、各用語について以下のように定義する。
【００２４】
額縁シールとは、写真等を壁面等の貼付面に貼付して掲示するのに使用するもので、壁面等に貼付するシール本体と、離型部等との組からなるものである。シール本体とは、壁面等に貼付する状態のものをいい、離型部等や写真等は含まれない。上下関係として、額縁シール１１の使用時の貼付面側（第２シート側）を下、額縁シールの使用時の掲示面側（第１シート側）を上、とする。また、額縁シールは平面状であるため、外内関係として、平面視で、額縁シールの中心から外側方向を外、その逆を内、とする。
【００２５】
（額縁シールの素材）
図１，２に示すように、本発明の額縁シール１１は、片面に接着層２０を有する第１シート２１と、第１シート２１の接着層２０側にある第２シート２２からなり、第１シート２１が隠蔽性を有しているものである。
【００２６】
接着層２０とは、粘着剤から形成される層であり、第１シート２１の片面に形成される。粘着剤は、被貼付物である壁面等を損傷せずに剥がすことができるものを使用する。
【００２７】
具体的には、このような特性を満足させる各種市販品や特注品を使用することができ、一例を挙げると、ゴム系粘着剤、アクリル系粘着剤、シリコーン系粘着剤、ウレタン系粘着剤を好んで使用することができ、これらの中でも、性能による変性の自由度に優れるアクリル系粘着剤がより好ましい。
【００２８】
接着層２０の形成方法の一例を挙げると、第２シート２２の片面に粘着剤を直接塗布し、乾燥させた後に第１シート２１を貼り合せる。これによって接着層２０を形成することができる。但し、粘着剤の種類や製造上の都合により第１シート２１の片面に粘着剤を直接塗布する場合もある。第２シート２２の片面の粘着剤塗布面側には予めシリコーン等の離型処理をする。なお、第１シート２１の粘着剤塗装面側に予め下塗剤（プライマー）を塗布しても良い。接着層２０は、第１シート２１と第２シート２２との間に存在しているが、第２シート２２側には離型処理がされているため、第１シート２１と第２シート２２とが剥がされた際には、第１シート２１側に残ることとなる。
【００２９】
第１シート２１とは、額縁シール１１を写真等の壁面等に貼付して掲示する際には額縁部３１を形成するものであり、写真等に装飾効果を付与するシートである。本発明において、第１シート２１は、装飾としての印刷を行うことができるものであり、壁面等の貼付面に貼付して掲示した際に、貼付面の有する色や模様が隠蔽されずに透けて見えるのを防ぐために、隠蔽性を有していることを特徴としている。これにより、額縁シールは、隠蔽を目的とした印刷をすることなく、貼付面に対して隠蔽性を有し、必要により、装飾としての印刷を施すことのできるものとすることができる。また、装飾としての印刷が鮮明となるように、第１シート２１は、高い白色度を有しているものが好ましい。
【００３０】
隠蔽性は、具体的には、ＪＩＳ  Ａ  ６９２１：２０１４（壁紙）６．３．３隠蔽性試験に規定される隠蔽性が２級以上であるものが好ましい。シール本体２６を壁面等の貼付面に貼付して写真等を掲示した際に、貼付面の色彩や模様が、シール本体２６から透けて見えることを防ぐことができるためである。より好ましくは３級以上であり、最も好ましくは４級である。なお、隠蔽性試験は、試験片の裏面に隠蔽性用グレースケールを密着させて、左右又は前後に移動し、透過して見える程度を級によって評価し、明瞭に顕出するものを１級、顕出するものを２級、ごく僅かに顕出するものを３級、顕出しないものを４級として評価する。
【００３１】
白色度は、具体的には、ＪＩＳ  Ｐ  ８１４８：２００１（紙、板紙及びパルプ−ＩＳＯ白色度（拡散青色光反射率）の測定方法）に規定される白色度が７０％以上であるものが好ましい。装飾としての印刷を施した場合に、印刷が鮮明に見ることができるためである。より好ましくは８０％以上であり、最も好ましくは９０％以上である。
【００３２】
第１シート２１として、このような特性を満足させる各種市販品や特注品を使用することができ、一例を挙げると、紙、合成紙、着色された樹脂膜などがある。これらの中でも合成紙がより好ましい。高い隠蔽性を有し、軽量であり、誤って折り曲げた際の折り曲げ跡の回復性を有するためである。
【００３３】
紙とは、植物などの繊維を絡ませながら薄くたいらに成形したものである。
【００３４】
合成紙とは、合成樹脂を主原料として製造した紙のことである。合成紙は、製造方法から大別すると、フィルム法合成紙、ファイバー法合成紙、フィルムラミネート法合成紙がある。フィルム法合成紙は、例えば、内部紙化方式合成紙、表面塗工方式合成紙、表面処理方式合成紙である。内部紙化方式合成紙は、合成樹脂に充填剤及び添加剤を加えて混合し、押出機で溶融混練後、ダイ・スリットから押出して成膜する方法で製造した合成紙であり、無延伸フィルム方式合成紙、二軸延伸フィルム方式合成紙を包含する。表面塗工方式合成紙は、プラスチックフィルム（内部紙化方式合成紙を含む）の表面にピグメント塗工層を設けた合成紙である。表面処理方式合成紙は、合成樹脂フィルムの表面を化学的又は物理的に処理した合成紙である。ファイバー法合成紙は、例えば、合成パルプ紙、スパンボンド紙である。合成パルプ紙は、合成樹脂を原料にして作られた樹脂ファイバーを原料とし、バインダーなどを加えて、抄紙機で抄造する合成紙である。スパンボンド紙は、合成樹脂を溶解し、ノズルから噴射して紡糸した繊維をランダムに並べ、部分的に熱接着して繊維間結合を形成した合成紙である。フィルムラミネート法合成紙は、紙の表面にプラスチックフィルムを積層した合成紙である。本実施形態では、印刷適性に優れる、フィルム法合成紙が好ましく、内部紙化方式合成紙がより好ましく、二軸延伸フィルム方式合成紙が特に好ましい。
【００３５】
着色された樹脂膜とは、酸化チタンなどの顔料が分散されていることなどによって、着色された合成樹脂からなるフィルムのことである。
【００３６】
合成紙及び着色された樹脂膜における主原料となる合成樹脂として、例えば、ポリエチレン、ポリプロピレン、ポリスチレン、ポリエステル、ポリ塩化ビニルがある。これらの中でも、印刷性に優れるポリエステルやポリ塩化ビニルなどの極性合成樹脂が好ましい。
【００３７】
第２シート２２とは、第１シート２１の片面に有する接着層２０と接着した透明な合成樹脂からなるシートである。
【００３８】
第２シート２２は、素材４１である状態では、第１シート２１の片面に形成された接着層２０を保護する離型部としての機能を有し、額縁シール１１の状態では、型抜き等の刻設線２８Ｂによる切り分けによって写真等保持部３２と、写真等保持部３２の外側に形成された離型部２７とを形成する。
【００３９】
第２シート２２の合成樹脂として、例えば、ポリエチレン、ポリプロピレン、ポリスチレン、ポリエステル、ポリ塩化ビニルがある。これらの中でも、耐候性に優れるポリプロピレンやポリエステルなどの高耐候性樹脂が好ましい。
【００４０】
第１シート２１、第２シート２２及び接着層２０の厚みは、特に限定されず、選択する材料によって異なるが、例えば、第１シート２１及び第２シート２２は２０〜５００μｍ、好ましくは３０〜１００μｍの範囲から適宜選択し、接着層２０は１０〜５０μｍの範囲から適宜選択することができる。
【００４１】
（額縁シール）
本実施形態の額縁シール１１は、第１シート２１及び第２シート２２に施された型抜き等の刻設線２８Ａ、２８Ｂ、２８Ｃによる切り分けによって、シール本体２６と、抜き窓部３４と、離型部２７と、で構成される。シール本体２６は、第１シート２１からなる額縁部３１と、第２シート２２からなり、抜き窓部３４より外側に延設され額縁部３１の内周縁に囲まれた範囲を閉塞する写真等保持部３２と、を備える。
【００４２】
なお、接着層２０は、第１シート２１と第２シート２２との間に存在しているが、第２シート２２側の離型処理のため、第１シート２１と第２シート２２とが剥がされた際には、第１シート２１側に残ることとなる。
【００４３】
第１シート２１は、額縁部３１の外周縁に沿った、第１シート２１に施された型抜き等の刻設線２８Ｃによる切り分けによって、第１シート２１の額縁部３１の外周縁の外側（不要部）が除去される。また、額縁部３１の内側に形成された抜き窓部３４は、第１シート２１に施された型抜き等の刻設線２８Ａによる切り分けによって、使用時に除去することができるようになっている。抜き窓部３４を除去することによって、写真等保持部３２の下にある写真等Ｐを視認できるようになる。
【００４４】
離型部２７は、写真等保持部３２の外側の第２シート２２からなる。第１シート２１の額縁部３１の外周縁の外側（不要部）を除去することによって、離型部２７が額縁部３１の外側に延設された状態となる。シール本体２６から、第２シート２２からなる離型部２７を剥がすことによって、第１シート２１からなる額縁部３１は接着層２０が露出し、第２シート２２に施された型抜き等の刻設線２８Ｂによる切り分けによって、写真等保持部３２はシール本体２６の額縁部３１と粘着されたまま残る。そして、シール本体２６は接着層２０が露出していることにより、壁面等への貼り付けが可能なものとなり、写真等保持部３２へ写真等を保持させることによって、写真等を壁面等の貼付面に貼付して掲示することができるものとなっている。
【００４５】
本実施形態では、シール本体２６は、額縁部３１の外周縁における少なくとも一箇所に（図例では対角位置にある角部に二箇所）、剥がし用タブ３６を備えている。剥がし用タブ３６は、第２シート２２を刻設線２８Ｂの額縁部３１の外周縁の角部に沿う部分によって離型部２７から切り分けるように形成される。剥がし用タブ３６は、離型部２７の第２シート２２からは刻設線２８Ｂにより切り分けられ、シール本体２６の第１シート２１と粘着されたままである。シール本体２６の剥がし用タブ３６の部分は、離型部２７から遊離する状態であるため、指で挟持することができる。また、剥がし用タブ３６の部分は、接着層２０は表面に出ていないため、シール本体２６から離型部２７を剥がす際に、剥がし用タブ３６を指で挟持しても、シール本体２６の接着層２０に指紋を付けたり、接着層２０で指を汚したりすることを避けることができる。なお、剥がし用タブ３６の部分は、この部分の接着層２０に、糊殺し（ニス、メジューム、インキなどを被覆させることによって、接着層の粘着力を無くすこと。）を施すことによって、指で挟持可能とすることもできる。
【００４６】
図例で剥がし用タブ３６の第２シート２２は、連結部３６Ａによって写真等保持部３２と連結している。連結することにより、剥がし用タブ３６がシール本体２６から剥がれ落ちることを防ぐことができる。なお、剥がし用タブ３６を写真等保持部３２と連結することによって、剥がし用タブ３６がシール本体２６から剥がれ落ちることを防ぐ技術は、第１シート２１が隠蔽性を有していない額縁シール１１にも適用可能である。
【００４７】
さらに、シール本体２６は、写真等保持部３２の外周縁の一箇所以上（図例では各辺に一つずつ四箇所）に、写真等の仮止め部３７を備えている。仮止め部３７は、写真等保持部３２の外周縁の各辺の、第２シートの刻設線２８Ｂによる切り分けを、写真等保持部３２の内側方向に面状に部分突出させて形成したものである。シール本体２６から離型部２７を剥がした際に、仮止め部３７の下側には、接着層２０が表面に現れ、この接着層２０により、写真等を仮止めすることができるものとなる。図例で仮止め部３７は、半円状であるが、三角形状や四角形状さらには台形状であっても良い。また、仮止め部３７は、額縁部３１の内周縁から外側にあれば良く、図例の如く辺上でなく角部であっても良く、さらには、写真等保持部３２の内縁に沿って面状に連続突出させて形成しても良い。
【００４８】
（額縁シールの製造方法）
次に、上記額縁シールの製造方法の一例を図３に基づいて説明する。
【００４９】
上記額縁シール１１は、片面に接着層２０を有する第１シート２１と、第１シート２１の接着層２０側にある第２シート２２と、からなる積層体である素材４１（既製品を使用可能）を、繰り出しロール（図示せず）から繰り出し順送りを行い、下記、（１）第２シート刻設線形成工程、（２）第１シート刻設線形成工程、（３）不要部除去工程、（４）裁断工程、及び、（５）印刷工程（図示せず）を経て製造される。なお、素材４１は予めおよそ額縁シール１１の大きさに切り分けられたものを使用しても良い。また、上記工程の順序を変更しても良い。
【００５０】
（１）第２シート刻設線形成工程
第２シート２２に刃型を用いて刻設線２８Ｂを形成する工程である。これにより、容易に刻設線２８Ｂを形成することができる。第２シート刻設線形成工程は、半円状の写真等の仮止め部３７を４辺に備えた写真等保持部３２の外周縁を刻設する変形四角形型４６、剥がし用タブ３６を刻設する略四角形状型４７を額縁部３１外周縁の対角位置にある角部に二箇所、及び、変形四角形型４６と略四角形状型４７とを連接する型４７Ａ、を備えた、第２シート刻設線刃型４８を用意する。なお、変形四角形型４６と略四角形状型４７とを連接する型４７Ａとは、一体化した第２シート２２となるように、接する辺の刃型は抜いてある。該第２シート刻設線刃型４８に対して上押し型４９で素材４１を押圧することにより、第２シート２２のみに刻設線２８Ｂを形成することができる。なお、刻設線の形成には、ロータリー刃を用いても良い。
【００５１】
（２）第１シート刻設線形成工程
第１シート２１に刃型を用いて刻設線２８Ａ、２８Ｃを形成する工程である。これにより、容易に刻設線２８Ａ、２８Ｃを形成することができる。第１シート刻設線形成工程は、額縁部３１の外周縁を形成する刻設線２８Ｃを刻設する四角形刃５０、及び、額縁部３１の内周縁を形成する刻設線２８Ａを刻設する四角形刃５１、を備えた、第１シート刻設線刃型５２を用意する。該第１シート刻設線刃型５２に対して下押し型５３で素材４１を押圧することにより、第１シート２１のみに刻設線２８Ａを形成することができる。
【００５２】
なお、刻設線２８Ｃの剥がし用タブ３６の角部と一致する部分である刻設線２８Ｄは、第１シート２１及び第２シート２２を貫通させることが望ましい。従って、刻設線２８Ｃを刻設する四角形刃５０の角部であって、剥がし用タブ３６の端部（角部）と一致する部分は、積層体である素材４１を貫通するように構成する。このため、下押し型５３の貫通する刻設線を設ける部分に第２シート２２の厚みに応じたスペーサー５３Ａを設置することによって、積層体である素材４１を貫通する刻設線２８Ｄを設けることができる。
【００５３】
（３）不要部除去工程
額縁部３１の外周縁を刻設する四角形刃５０で刻設された刻設線２８Ｃの外側の第１シート（不要部）を、巻取りロール５４で巻き取って除去する工程である。この不要部除去工程により、額縁シール１１の刻設不良の検査を兼ねることができる。第１シート２１が隠蔽性を有していることにより、目視で容易に行うことができるものとなっている。
【００５４】
（４）裁断工程
第２シート２２からなる離型部２７の外周縁を裁断する工程である。裁断機５５により、額縁シール１１を連続的に製造する。なお、裁断ではなく、額縁シール１１相互間に切断用ミシン目等を形成することにより、複数枚ずつを組にした、額縁シール１１組を連続的に製造することもできる。また、素材４１として、予め額縁シール１１の大きさのものを用いた場合には、この裁断工程は不要である。
【００５５】
（５）印刷工程
必要により、第１シート２１の上側に装飾を施すための印刷を行う工程である。第１シート２１が隠蔽性を有していることにより、隠蔽を目的とした印刷を必要とすることなく、貼付面に対して隠蔽性を有し、装飾としての印刷を施すことのできるものとなる。なお、印刷工程は、（１）第２シート刻設線形成工程の前に行うこともできる。
【００５６】
本発明の額縁シールは、上記実施形態に限られず、各請求項に記載された範囲内において各種態様に及ぶものである。
【００５７】
額縁シールの写真等保持部３２の大きさは、通常、写真を想定したＬ判（８９×１２７ｍｍ）やＤＳＣ判（８９×１１９ｍｍ）等や、ポストカードを想定したサイズ（１００×１４８ｍｍ）であるが、Ａ４サイズ（２１０×２９７ｍｍ）やこれ以上の大きさにすることも可能である。
【００５８】
（額縁シールの使用態様）
次に、上記の如く製造した額縁シールの使用態様を図４に基づいて説明する。なお、図４中（１）、（２）及び（４）は、額縁シール１１の上側（第１シート２１側）が表側として記載しているが、（３）は、裏側として記載している。
【００５９】
（１）第１シート２１の抜き窓部３４を、額縁シール１１から剥がして除去する。写真等保持部３２の透明な第２シート２２の下にくる写真等Ｐを視認できるようにするためである。
【００６０】
（２）シール本体２６の剥がし用タブ３６を指で挟持して、額縁シール１１から離型部２７を剥がす。剥がし用タブ３６の部分は、第２シート２２に覆われていることにより接着層２０が露出していないため、指に接着材が付着することや接着層２０に指紋が付くこともない。そして、離型部２７は、剥がし用タブ３６部分と連結部３６Ａと写真等保持部３２を残し、シール本体２６から剥がれる。シール本体２６の、離型部２７（第２シート２２）が剥がれた部分は、接着層２０が露出する。
【００６１】
（３）写真等Ｐは、シール本体２６の写真等保持部３２の外周縁に沿って下側から貼り付ける。写真等保持部３２には、接着層２０が第２シート２２で覆われていない仮止め部３７が存在し、写真等Ｐを仮止めすることができる。
【００６２】
（４）シール本体２６の剥がし用タブ３６を指で持って、壁面等の目的箇所にシール本体２６を貼付する。壁面等は予めホコリや脂分を除去して清掃しておく。シール本体２６の、離型部２７が剥がれた部分は、接着層２０が露出しているため、壁面等の目的箇所にシール本体２６を貼付することができる。こうして、写真等Ｐに装飾効果を付与して貼り付け可能となる。また、第１シート２１が隠蔽性を有していることにより、壁面等の色彩や模様が、シール本体２６の額縁部３１から透けて見えることはない。
【００６３】
なお、接着層２０は、再剥離性に優れる粘着剤を用いることにより、壁面等から剥がして、再度、別部位に貼り付け可能なものとすることができる。この際、壁面等を傷つけることなく、また、大切な写真等も損傷することがない。
【００６４】
（その他実施形態）
図５に示すように、抜き窓部３４は、額縁部３１の一方向の片方側又は両方側に延出しても良い。両方側に延出した場合には、抜き窓部３４が延出した部分は、額縁部３１が存在しないため、額縁部３１は分離した２部材となるが、第２シート２２の写真等保持部３２により橋架されているため、シール本体２６としては一体化された部材となる。なお、図５に示す実施形態では、離型部２７は、額縁部３１の外側に延設されていない状態のものを示した。
【符号の説明】
【００６５】
１１  額縁シール
２０  接着層
２１  第１シート
２２  第２シート
２６  シール本体
２７  離型部
２８、２８Ａ、２８Ｂ、２８Ｃ  刻設線
３１  額縁部
３２  写真等保持部
３４  抜き窓部
３６  剥がし用タブ
３６Ａ  連結部
Ｐ  写真等
【図１】
2017006425.tif 000003
【図２】
2017006425.tif 000004
【図３】
2017006425.tif 000005
【図４】
2017006425.tif 000006
【図５】
2017006425.tif 000007